(57)【要約】【課題】  本発明は、ロープを巻き取った後に、ロープを巻き取りドラムより取り外すことが可能な巻き取りドラムを提供することを目的とするものである。【解決手段】  本発明は、対向状とされる一方のフランジ部１および他方のフランジ部２との一方のフランジ部１の中央に、その基端が固着されるセンター軸挿入用筒部４と、該センター軸挿入用筒部４の円周方向に沿って、その基端が前記一方のフランジ部１に固着されるフランジ間隔を保持するための複数の間隔保持部材３と、一方のフランジ部１および他方のフランジ部２間の間隔保持部材３に外挿される巻き取り用胴体部６とから構成され、この間隔保持部材３と他方のフランジ部２とが連結自在とされる連結係止手段を備える構成とする。【選択図】      図１
2005212985.tif 000002
【特許請求の範囲】
【請求項１】
対向状とされる一対のフランジ部と、
一方のフランジ部の中央に、その基端が固着されるセンター軸挿入用筒部と、
該センター軸挿入用筒部の円周方向に沿って、その基端が前記一方のフランジ部に固着されるフランジ間隔を保持するための複数の間隔保持部材と、
他方のフランジ部と前記間隔保持部材の先端とが連結自在とされる連結係止手段と、
他方のフランジ部の外側面にロープ端が係止されるロープ係止手段と、
フランジ部間の間隔保持部材に外挿される巻き取り用胴体部を備える
ことを特徴とする巻き取りドラム。
【請求項２】
前記連結係止手段は、前記間隔保持部材先端に装着される頭部および軸部から形成される係留用ピンと、
他方のフランジ部に係留用ピンの頭部のみが挿入可能となるように開設される係留用ピン挿入穴と、
前記係留用ピン挿入穴に連通状とされると共に、他方のフランジ部の円周方向に係留用ピンの軸部のみが挿入可能とされる係止用長穴を備える
ことを特徴とする請求項１記載の巻き取りドラム。
【請求項３】
前記係留用ピンの少なくとも一つが間隔保持部材先端に螺着可能とされる
ことを特徴とする請求項２記載の巻き取りドラム。
【発明の詳細な説明】
【技術分野】
【０００１】
本発明は、巻き取りドラムに関する。詳しくはワイヤー、又はケーブルなどのロープを巻き取るための巻き取りドラムにかかるものである。
【背景技術】
【０００２】
従来よりワイヤー、又はケーブルなどのロープを巻き取りドラムに巻き取る場合には、ウインチから繰り出されたロープに常時張力をかけながら巻き取りドラムで巻き取らなければならない。
【０００３】
そこでこの種の自動巻取り装置として例えば、図１０に示すような発明がある。この自動巻取り装置は、ワイヤー又はケーブルの延線に用いる牽引用ロープを適宜のウインチにより引き込み、このウインチの後方で巻き取りドラムに上記ロープを巻き取る装置において、車軸ウインチ１０１に導入させるロープ１０２を一旦掛ける張力計１０３を設け、車軸ウインチ１０１の軸と並行な軸を有し、適宜の駆動源により回転する駆動ローラ１０４と、この駆動ローラ１０４の外周にかかったロープ１０２を常時押圧する押圧ローラ１０５のとから成り、また尻手取りローラ群１０６の後方に、トラバーサ１０７を有する巻き取りドラム１０８を設け、上記張力計１０３により測定した張力異常を警報する警報装置を設けた構成とする（例えば、特許文献１参照。）。
【０００４】
【特許文献１】特開平９−７１３６９号（要約書、第１図）
【発明の開示】
【発明が解決しようとする課題】
【０００５】
しかしながら前記構成の巻き取り装置によって常時張力をかけながら巻き取りドラムに巻き取られるロープは、巻き取り軸から巻き取りドラムを取り外して運搬され、保管場所に巻き取りドラムごと保管されることになり、非常に煩雑であり、かつ必要以上の保管スペースが必要となる問題がある。
【０００６】
また、一度に数本のロープを巻き取る場合には、数個の巻き取りドラムを用意する必要があり、その都度巻き取りドラムを取り替えなければならず、非常に煩雑な作業となる問題がある。
【０００７】
また、ワイヤー又はケーブル等を巻き取った後に、ドラムより束の状態で抜き取り保管、輸送する場合には、抜き取った束の状態でのワイヤー又はケーブル等の周囲数個所を番線等で止めるものであるが、番線等で締め付ける際に束が崩れる場合が多く、これにより現場での巻きほぐしの時に、キンクが発生したりほつれたりする問題がある。
【０００８】
本発明は、以上の点に鑑みて創案されたものであって、ワイヤー又はケーブル等のロープを巻き取った後に、ロープを巻き取りドラムより取り外すことが可能な巻き取りドラムを提供することを目的とするものである。
【課題を解決するための手段】
【０００９】
上記の目的を達成するために、本発明に係る巻き取りドラムは、対向状とされる一対のフランジ部と、一方のフランジ部の中央に、その基端が固着されるセンター軸挿入用筒部と、該センター軸挿入用筒部の円周方向に沿って、その基端が前記一方のフランジ部に固着されるフランジ間隔を保持するための複数の間隔保持部材と、他方のフランジ部と前記間隔保持部材の先端とが連結自在とされる連結係止手段と、他方のフランジ部の外側面にロープ端が係止されるロープ係止手段と、フランジ部間の間隔保持部材に外挿される巻き取り用胴体部を備える。
【００１０】
ここで、ワイヤーロープ等を巻き取った後に、他方のフランジ部を一方のフランジ部に対して離脱できる機構とすることにより、ループ状に巻き取られたロープのみを巻き取りドラムより取り外すことが可能となる。
【００１１】
また、前記連結係止手段は、前記間隔保持部材先端に装着される頭部および軸部から形成される係留用ピンと、他方のフランジ部に係留用ピンの頭部のみが挿入可能となるように開設される係留用ピン挿入穴と、前記係留用ピン挿入穴に連通状とされると共に、他方のフランジ部の円周方向に係留用ピンの軸部のみが挿入可能とされる係止用長穴を備えることで、一方のフランジ部に固着される間隔保持部材先端の係留用ピンに他方のフランジ部に開設される係留用ピン挿入穴を差し込み、円周方向へ回すことにより係留用ピンの頭部が係止用長穴に係留することで容易に他方のフランジ部の着脱が行える構成とする。
【００１２】
更に、前記係留用ピンの少なくとも一つが間隔保持部材先端に螺着可能とすることにより、他方のフランジ部を間隔保持部材先端に取り付けた後に、締結することで強固に装着することができ、かつ緩めることで容易に取り外すことが可能となる。
【発明の効果】
【００１３】
以上の述べてきたように本発明では、一方のフランジ部、他方のフランジ部および巻き取り用胴体部がそれぞれ分割状とされているために、センター軸より巻き取りドラムを取り外した後に、他方のフランジ部および一方のフランジ部を取り外して巻き取り用胴体部にワイヤー又はケーブル等が巻き取られた状態で番線等によって止めることにより束が崩れることなく保管場所への搬送が行えるものである。
【００１４】
また、巻き取り用胴体部に巻き取られた状態でのワイヤー又はケーブル等を保管することができるために保管スペースが最小限でよく、かつ運搬が非常に楽に行うことが可能となる。更に、輸送の際に束が崩れることなく、又ワイヤー又はケーブル等を繰り出すときは、キンクが発生することがなく巻きほぐすことが可能となる。
【発明を実施するための最良の形態】
【００１５】
以下、本発明の実施の形態を図面を参酌しながら説明し、本発明の理解に供する。
図１は、本発明を適用した巻き取りドラムの一例を示す断面説明図、図２は、図１における一方のフランジ部の側面説明図、図３は、図１における他方のフランジ部の側面説明図である。
【００１６】
ここで示す巻き取りドラムは、対向する一方のフランジ部１と他方のフランジ部２は、複数個の間隔保持部材３により一定の間隔が保持される。
【００１７】
そこで３個の間隔保持部材３は一方のフランジ部１の中途部円周方向に沿って、その基端がタップ溶接によって固着され、更に一方のフランジ部１の中央には、センター軸挿入用筒部４が貫通された状態で固着される。
また、センター軸挿入用筒部４近傍の一方のフランジ部１面には巻き取り回転用穴５が２個設けられるものである。
【００１８】
次に、複数個の間隔保持部材３を外挿するような状態で着脱自在とされる筒状の巻き取り用胴体部６が設けられるものである。そして３個の間隔保持部材３に対して他方のフランジ部２を自在に着脱できる構成とするものである。
【００１９】
また、一方のフランジ部１および他方のフランジ部２は巻き取り用胴体部６外周に沿って連続した切り欠き部７が形成され、更に両フランジ部１、２の外周縁に補強用としてのパイプ材８が周設された構成とするものである。
【００２０】
この他方のフランジ部２の中央にはセンター軸挿入用筒部４が挿通可能とされるセンター穴部９が開設され、その近傍には一方のフランジ部１に設けられる巻き取り回転用穴５と同一位置に同様な巻き取り回転用穴５が設けられるものである。
【００２１】
また、他方のフランジ部２の中途部円周方向に沿って係留用ピン挿入穴１０と連通状とされる係止用長穴１１が開設されるものである。
【００２２】
そして他方のフランジ部２の外側面にはロープ係止手段として図４に示すように、ロープ端係止部１２が固着されるものであり、このロープ端係止部１２は、円錐台形状の止め金具１３がタップ溶接によって固着される。この止め金具１３には、その中心上下方向にネジ穴１４が貫設され、このネジ穴１４と交差する水平方向にロープ端挿入穴１５が貫設され、更にネジ穴１４に押さえネジ部材１６が螺着された構成とするものである。
【００２３】
いっぽう、他方のフランジ部と前記間隔保持部材の先端とが連結自在とされる連結係止手段として図５に示すように、３個の間隔保持部材３のうち２個については、その先端に係留用ピン１７を装着するものであり、この係留用ピン１７は頭部１８の直径が間隔保持部材３の直径より小とされ、かつ頭部１８の直径より小とした軸部１９とから構成されるものである。
【００２４】
また、図６に示すように、残り１個の間隔保持部材３の先端には締結用ネジ穴２０が穿孔され、この締結用ネジ穴２０に締結用ボルト部２１が螺着されるものである。この締結用ボルト部２１はボルト頭部２２の直径が間隔保持部材３の直径より小とされ、かつボルト頭部２２の直径より小としたネジ軸部２３とから構成されるものである。
【００２５】
従って他方のフランジ部２の中途部円周方向に沿って係留用ピン挿入穴１０に各間隔保持部材３先端の係留用ピン１７の頭部１８および締結用ボルト部２１のボルト頭部２２を挿入して、円周方向へ回転させることで各頭部１８およびボルト頭部２２が係留用ピン挿入穴１０と連通状とされる係止用長穴１１に移動して係留することとなり、更に締結用ボルト部２１によって他方のフランジ部２を強固に取り付けることが可能となる。
【００２６】
ここで、間隔保持部材は必ずしも３個である必要性は無く、例えば径の大きい巻き取りドラムである場合には４、５個の方が強度的に安定するものであり、径の小さいものであれば２個であっても良く、状況に応じて最も適した個数とすることが望ましい。
【００２７】
また、連結係止手段は必ずしも本発明実施例で詳述した構成とする必要性は無く、一方のフランジ部に対して容易に着脱できるものであればいかなる機構であっても構わない。
【００２８】
以上の構成よりなる本発明では、図７に示すように、ワイヤーなどのロープＡ端がシンブル２７によって環状に形成されている場合には、フランジ部間より切り欠き部７を通して取り出されるロープＡ端はガイド板２４によってロープ端係止部１２へと導かれる。そして押さえネジ部材１６を取り外し、円錐台形状の止め金具１３にシンブル２７を外挿した状態で、押さえネジ部材１６によってロープＡ端を係着する。
【００２９】
また、図８に示すように、ロープＡ端が線状の場合には、ロープ端挿入穴１５にロープＡ端を挿通し、押さえネジ部材１６の先端によってロープＡ端を係着する。
【００３０】
そこで図９に示すように、一方のフランジ部１側のセンター軸挿入用筒部９にセンター軸２５および巻き取り回転用穴５にセンター軸２５に係着される回転用軸２６が差し込まれることにより、センター軸２５を駆動回転させることで巻き取りドラムが駆動回転しながらロープＡを巻き取り用胴体部６外周に巻き取られることになる。
【００３１】
そしてロープＡが巻き取られた後に、ロープＡ端をロープ端係止部１２より取り外し、間隔保持部材３先端の締結用ボルト部２１のボルト頭部２２を緩めて、他方のフランジ部２を係留用ピン挿入穴１０方向へ回転させることで各頭部１８およびボルト頭部２２が係留用ピン挿入穴１０へ移動し、一方のフランジ部１を床面に接した状態で他方のフランジ部２を手間側へ引くことによって巻き取りドラムよりロープのみを取り外すことが可能となる。
【図面の簡単な説明】
【００３２】
【図１】本発明を適用した巻き取りドラムの一例を示す断面説明図である。
【図２】図１における一方のフランジ部の側面説明図である。
【図３】図１における他方のフランジ部の側面説明図である。
【図４】本発明を適用した巻き取りドラムにおけるロープ係止手段の一例を示す説明図である。
【図５】本発明を適用した巻き取りドラムにおける連結係止手段の一例を示す説明図である。
【図６】本発明を適用した巻き取りドラムにおける連結係止手段の他の例を示す説明図である。
【図７】本発明を適用した巻き取りドラムにおけるロープ係止手段の適用例を示す説明図である。
【図８】本発明を適用した巻き取りドラムにおけるロープ係止手段の他の適用例を示す説明図である。
【図９】本発明を適用した巻き取りドラムにおける使用状態を示す説明図である。
【図１０】従来の自動巻取り装置の一例を示す説明図である。
【符号の説明】
【００３３】
１      一方のフランジ部
２      他方のフランジ部
３      間隔保持部材
４      センター軸挿入用筒部
５      巻き取り回転用穴
６      巻き取り用胴体部
７      切り欠き部
８      パイプ材
９      センター穴部
１０    係留用ピン挿入穴
１１    係止用長穴
１２    ロープ端係止部
１３    止め金具
１４    ネジ穴
１５    ロープ端挿入穴
１６    押さえネジ部材
１７    係留用ピン
１８    頭部
１９    軸部
２０    締結用ネジ穴
２１    締結用ボルト部
２２    ボルト頭部
２３    ネジ軸部
２４    ガイド板
２５    センター軸
２６    回転用軸
２７    シンブル
【図１】
2005212985.tif 000003
【図２】
2005212985.tif 000004
【図３】
2005212985.tif 000005
【図４】
2005212985.tif 000006
【図５】
2005212985.tif 000007
【図６】
2005212985.tif 000008
【図７】
2005212985.tif 000009
【図８】
2005212985.tif 000010
【図９】
2005212985.tif 000011
【図１０】
2005212985.tif 000012